(57)【要約】【課題】必要に応じて強制換気及び自然換気を行い得ると共に、換気装置の設置部位を縮小化することのできる換気装置及びこれを具備した換気機構を提供すること。【解決手段】建物側壁１６の床側に設けられた換気装置１は、一対の開口部１３及び２１を連通する連通路４を規定していると共に建物側壁１６の床側に固着されている枠手段５と、連通路４に回転軸心Ｘを中心として回転自在に配された羽根手段６を有していると共に、羽根手段６を回転させて連通路４に所望方向に強制空気流７を生じさせる強制空気流発生手段８と、一方の開口部１３を開閉する開閉手段１４とを具備している。【選択図】　　　図１
2004144380.tif 000002
【特許請求の範囲】
【請求項１】
少なくとも一対の開口部を連通する連通路を規定している枠手段と、連通路に回転自在に配された羽根手段を有していると共にこの羽根手段を回転させて連通路に所望方向に向かう強制空気流を生じさせる強制空気流発生手段と、一方の開口部を開閉する開閉手段とを具備しており、強制空気流発生手段は、羽根手段を介する強制空気流の流路に対して分離された分離通路を連通路に形成し得ると共に強制空気流の方向を決定する方向決定手段を具備しており、開閉手段は、一方の開口部の開閉と共に分離通路の開閉をも行うようになっている換気装置。
【請求項２】
強制空気流発生手段は、羽根手段を回転させる羽根回転手段を有しており、羽根手段は、互いに平行であって円筒状に並んで配された複数の羽根部材を有しており、方向決定手段は、一縁部側では複数の羽根部材の外縁の包絡線で形成される仮想円筒面との間で狭幅通路を形成し、他縁部側では当該仮想円筒面との間で広幅通路を形成して当該仮想円筒面を部分的に取り囲んでいる湾曲状面を有している通路形成板と、この通路形成板を回転させる通路形成板回転手段とを具備しており、通路形成板は、所定の回転位置で分離通路を連通路に形成するようになっている請求項１に記載の換気装置。
【請求項３】
方向決定手段は、通路形成板の回転に連れて回転するように通路形成板に連結されていると共に通路形成板と協働して強制空気流の方向を決定する補助板を具備している請求項２に記載の換気装置。
【請求項４】
通路形成板回転手段は、通路形成板を少なくとも、強制空気流を一方の開口部に向かわせる位置と強制空気流を他方の開口部の一端部に向かわせる位置とに選択的に回転させるようになっている請求項２又は３に記載の換気装置。
【請求項５】
羽根手段と通路形成板とは、夫々互いに同一の回転軸心を中心として回転されるように配されている請求項２から４のいずれか一項に記載の換気装置。
【請求項６】
開閉手段は、一方の開口部を規定している枠手段に一端で回転自在に支持されている開閉部材と、この開閉部材を回転させる開閉部材回転手段とを具備しており、開閉部材回転手段は、開閉部材を少なくとも、一方の開口部を閉鎖して一方の開口部を介する強制空気流の流路と分離通路との枠手段の外部への連通を阻止する位置と、一方の開口部を開放して強制空気流の流路を一方の開口部を介して枠手段の外部に連通させる一方、一方の開口部を介する分離通路の枠手段の外部への連通を阻止する位置と、一方の開口部を開放して強制空気流の流路と分離通路とを一方の開口部を介して枠手段の外部に連通させる位置とに選択的に回転させるようになっている請求項１から５のいずれか一項に記載の換気装置。
【請求項７】
請求項１から６のいずれか一項に記載の換気装置を少なくとも二つ具備しており、一方の換気装置は建物の床側に設けられており、他方の換気装置は建物の天井側に設けられている換気機構。
【請求項８】
一方の換気装置は建物側壁の床側に設けられており、他方の換気装置は一方の換気装置が設けられる建物側壁の天井側に設けられている請求項７に記載の換気機構。
【請求項９】
両換気装置の間であって建物側壁の近傍の空間を建物内の他の空間と解除自在に区分する区分手段を具備しており、区分手段によって区分された建物側壁の近傍の空間の一端部は、他方の開口部の一端部に臨むようになっている請求項８に記載の換気機構。
【請求項１０】
区分手段は、空間を形成するように建物内において建物側壁に沿って配される可撓性の画成部材と、この画成部材による空間の形成及び空間の消滅を行うように、画成部材を移動させる移動手段とを具備している請求項９に記載の換気装置。
【請求項１１】
一方の換気装置は建物側壁の床側に設けられており、他方の換気装置は一方の換気装置が設けられる建物側壁に対向した他の建物側壁の天井側に設けられている請求項７に記載の換気機構。
【請求項１２】
請求項１から６のいずれか一項に記載の換気装置又は請求項７から１１のいずれか一項に記載の換気機構を具備した構造物。
【発明の詳細な説明】
【０００１】
【発明の属する技術分野】
本発明は、ビル等の建物（構造物）に形成される開口部に取り付けられる換気装置及びこれを具備した換気機構に関する。
【０００２】
【従来の技術】
この種の換気装置の多くは、建物内外に連通する通路に、建物内外を遮断するように配された複数枚の羽根を具備した羽根手段（ファン）を回転させることにより、建物内の換気を強制的に行うようになっている。
【０００３】
【特許文献１】
特開２００１−３１７７８４号公報
【０００４】
【発明が解決しようとする課題】
しかしながら、上記のような換気装置では、羽根手段を回転させることにより換気を行うようになっているため、当該換気装置近傍の人に空気流が強く当たって不快な気分にさせる虞がある。また、当該換気装置では、羽根手段が建物内外を遮断するように配されているため、羽根手段が邪魔となって建物内の自然換気を効果的に行うことが困難であり、従って、自然空気流により建物内を換気するためには、自然換気用の換気装置、例えば、建物内外を連通する通路を開放及び閉鎖する開閉機構を具備した換気装置を上記換気装置とは別に設置することとなる結果、換気装置の設置部位の縮小化が困難である。
【０００５】
本発明は、前記諸点に鑑みてなされたものであって、その目的とするところは、必要に応じて強制換気及び自然換気を行い得ると共に、換気装置の設置部位を縮小化することのできる換気装置及びこれを具備した換気機構を提供することにある。
【０００６】
【課題を解決するための手段】
本発明の第一の態様の換気装置は、少なくとも一対の開口部を連通する連通路を規定している枠手段と、連通路に回転自在に配された羽根手段を有していると共にこの羽根手段を回転させて連通路に所望方向に向かう強制空気流を生じさせる強制空気流発生手段と、一方の開口部を開閉する開閉手段とを具備しており、強制空気流発生手段は、羽根手段を介する強制空気流の流路に対して分離された分離通路を連通路に形成し得ると共に強制空気流の方向を決定する方向決定手段を具備しており、ここで、開閉手段は、一方の開口部の開閉と共に分離通路の開閉をも行うようになっている。
【０００７】
本発明の第一の態様の換気装置は、連通路に所望方向に向かう強制空気流を生じさせる強制空気流発生手段を具備し、斯かる強制空気流発生手段が羽根手段を介する強制空気流の流路に対して分離された分離通路を連通路に形成し得ると共に強制空気流の方向を決定する方向決定手段を具備し、しかも、開閉手段が一方の開口部の開閉と共に、分離通路の開閉をも行うようになっているために、例えば一方の開口部が建物外に臨み、他方の開口部が建物内に臨むようにして換気装置を設置した場合に、方向決定手段により分離通路を連通路に形成し、しかも、分離通路を介して一方の開口部と他方の開口部との連通がなされるように開閉手段により一方の開口部と分離通路とを開放することにより、羽根手段の回転、非回転に拘わらずに羽根手段に邪魔されることなしに分離通路を介して建物内の自然換気を行うことができ、また、分離通路を介する一方の開口部と他方の開口部との連通を阻止するようにして開閉手段により一方の開口部を開放し、しかも、羽根手段を回転させると共に方向決定手段により強制空気流の方向を一方の開口部に向けることにより、他方の開口部から一方の開口部に向かう強制空気流でもって建物内の強制換気を行うことができ、更に、開閉手段により一方の開口部を閉鎖して、しかも、羽根手段を回転させると共に方向決定手段により強制空気流の方向を他方の開口部の一方の端部に向けることにより、他方の開口部の他方の端部から一方の端部に向かう強制空気流でもって建物内の空気の強制循環を行うことができて、特に他方の開口部が臨む建物内に他方の開口部の一方の端部と他方の端部とを仕切るようにして遮光カーテン等を建物の窓際に設置すると、窓と遮光カーテン等との間の空間とこの空間以外の建物内との強制空気交換を行うことができ、而して、必要に応じて強制換気、自然換気及び強制空気循環を行い得ると共に、換気装置の設置部位を縮小化することができる。
【０００８】
本発明の第二の態様の換気装置では、第一の態様の換気装置において、強制空気流発生手段は、羽根手段を回転させる羽根回転手段を有しており、羽根手段は、互いに平行であって円筒状に並んで配された複数の羽根部材を有しており、方向決定手段は、一縁部側では複数の羽根部材の外縁の包絡線で形成される仮想円筒面との間で狭幅通路を形成し、他縁部側では当該仮想円筒面との間で広幅通路を形成して当該仮想円筒面を部分的に取り囲んでいる湾曲状面を有している通路形成板と、この通路形成板を回転させる通路形成板回転手段とを具備しており、通路形成板は、所定の回転位置で分離通路を連通路に形成するようになっている。
【０００９】
方向決定手段は、好ましくは本発明の第三の態様の換気装置のように、通路形成板の回転に連れて回転するように通路形成板に連結されていると共に通路形成板と協働して強制空気流の方向を決定する補助板を具備している。
【００１０】
通路形成板回転手段は、好ましくは本発明の第四の態様の換気装置のように、通路形成板を少なくとも、強制空気流を一方の開口部に向かわせる位置と強制空気流を他方の開口部の一端部に向かわせる位置とに選択的に回転させるようになっている。
【００１１】
羽根手段と通路形成板とは、好ましい例では本発明の第五の態様の換気装置のように、夫々互いに同一の回転軸心を中心として回転するように配されている。
【００１２】
本発明の第六の態様の換気装置では、第一から第五のいずれかの態様の換気装置において、開閉手段は、一方の開口部を規定している枠手段に一端で回転自在に支持されている開閉部材と、この開閉部材を回転させる開閉部材回転手段とを具備しており、開閉部材回転手段は、開閉部材を少なくとも、一方の開口部を閉鎖して一方の開口部を介する強制空気流の流路と分離通路との枠手段の外部への連通を阻止する位置と、一方の開口部を開放して強制空気流の流路を一方の開口部を介して枠手段の外部に連通させる一方、一方の開口部を介する分離通路の枠手段の外部への連通を阻止する位置と、一方の開口部を開放して強制空気流の流路と分離通路とを一方の開口部を介して枠手段の外部に連通させる位置とに選択的に回転させるようになっている。
【００１３】
本発明に係る第一の態様の換気機構は、上記のいずれかの態様の換気装置を少なくとも二つ具備しており、ここで、一方の換気装置は建物の床側に設けられており、他方の換気装置は建物の天井側に設けられている。
【００１４】
第一の態様の換気機構によれば、例えば、一方の換気装置で建物内に給気すると共に他方の換気装置で建物内から排気することができる結果、必要に応じて建物内の換気を効果的に行い得る。
【００１５】
本発明の第二の態様の換気機構では、本発明の第一の態様の換気機構において、一方の換気装置は建物側壁の床側に設けられており、他方の換気装置は一方の換気装置が設けられる建物側壁の天井側に設けられており、この場合、換気機構は、本発明の第三の態様のように、両換気装置の間であって建物側壁の近傍の空間を建物内の他の空間と解除自在に区分する区分手段を具備し、ここで、区分手段によって区分された建物側壁の近傍の空間の一端部は、他方の開口部の一端部に臨むようになっていると、例えば夏場において当該空間の暖められた空気を二つの換気装置により効率よく外部に排出できる一方、冬場においては当該空間の暖められた空気を保持できる結果、建物内の冷房及び暖房効率を向上させ得るので好ましい。
【００１６】
区分手段は、好ましくは本発明の第四の態様の換気機構のように、空間を形成するように建物内において建物側壁に沿って配される可撓性の画成部材と、この画成部材による空間の形成及び空間の消滅を行うように、画成部材を移動させる移動手段とを具備している。
【００１７】
本発明の第四の態様の換気機構によれば、移動手段によって必要に応じて建物側壁の近傍の空間を形成することができる結果、天候に合わせて建物内の冷房及び暖房効率を向上させ得る。
【００１８】
画成部材としては、遮光カーテン、ロールブラインド等を好ましい例として挙げることができるが、本発明ではこれらに限定されず、また、移動手段としては、画成部材の巻き上げ及び繰り出しを行う巻き上げ及び繰り出し装置又は画成部材の横引きを行う横引き装置等を好ましい例として挙げることができる。
【００１９】
両換気装置を同じ建物側壁側に設ける代わりに、本発明の第五の態様の換気機構のように、一方の換気装置を建物側壁の床側に設け、他方の換気装置を一方の換気装置が設けられる建物側壁に対向した他の建物側壁の天井側に設けてもよく、このように少なくとも二つの換気装置を建物内を挟んで設置することにより、建物内を効率よく換気できる。
【００２０】
次に本発明の実施の形態を、図に示す好ましい例に基づいて更に詳細に説明する。なお、本発明はこれら例に何等限定されないのである。
【００２１】
【発明の実施の形態】
図１及び図２において、本例の建物側壁１６の床側に設けられた換気装置１は、一対の開口部１３及び２１を連通する連通路４を規定していると共に建物側壁１６の床側に固着されている枠手段５と、連通路４に回転軸心Ｘを中心として回転自在に配された羽根手段６を有していると共に、羽根手段６を回転させて連通路４に所望方向に強制空気流７を生じさせる強制空気流発生手段８と、一方の開口部１３を開閉する開閉手段１４とを具備している。
【００２２】
建物側壁１６には、建物外３及び開口部１３に連通している貫通孔１７が設けられており、貫通孔１７には防塵用及び防鳥用の網体１８が配されている。
【００２３】
枠手段５は、上方で開口部２１を、前方で開口部１３を夫々規定すると共に建物側壁１６の内面に固着された横長の枠本体２２と、開口部２１を覆うように建物側壁１６の内面及び腰壁２３の上端縁に固定された防塵枠２４とを具備している。
【００２４】
開口部２１は防塵枠２４に設けられた開口２５及び２６を介して建物内２に連通しており、開口部１３は貫通孔１７を介して建物外３に連通している。
【００２５】
枠本体２２は、建物側壁１６の内面に固定された前壁２９と、前壁２９に固着された後壁３０と、前壁２９及び後壁３０の横方向（図１において紙面に直交する方向）における夫々の一端及び他端に固着された側壁３１（他端の側壁は図示せず）とを具備しており、前壁２９の内壁面１０と、後壁３０の内壁面１１と、両側壁３１の夫々互いに対面する内壁面とにより連通路４を規定している。開口部１３は、前壁２９に配されており、開口部２１は、前壁２９及び後壁３０の上方側における両端縁間に配されている。
【００２６】
防塵枠２４は、本例では、建物内２に開口する前方側の開口２５及び後方側の開口２６と、開口２５及び２６に夫々配された防塵用金網２７及び２８とを具備している。
【００２７】
強制空気流発生手段８は、上述の羽根手段６に加えて、羽根手段６を回転させる羽根回転手段９と、羽根手段６を介する強制空気流７の流路３３に対して分離された分離通路３４を連通路４に形成し得ると共に強制空気流７の方向を決定する方向決定手段１２とを具備している。
【００２８】
羽根回転手段９は、連通路４外において一方の側壁３１に固着された電動モータ４５と、回転軸心Ｘを中心として回転自在となるように、両側壁３１に回転軸心Ｘを中心として回転自在に支持された回転軸４１とを具備しており、回転軸４１は、一方の側壁３１を貫通して連通路４外に突出している突出部４６を有しており、突出部４６に電動モータ４５の出力回転軸の回転が伝達されるようになっている。
【００２９】
羽根手段６は、鍔４０付であって、しかも、回転軸４１が貫通していると共に回転軸４１に固着されている横長の円筒状軸部材４３と、円筒状軸部材４３の両側の鍔４０に夫々固着された一対の円盤状部材４２と、一対の円盤状部材４２を橋絡して当該一対の円盤状部材４２に固着されていると共に夫々湾曲されており、しかも、互いに平行であって円周方向に沿って円筒状に配された複数枚の横長の羽根部材４４とを具備しており、羽根部材４４は、円盤状部材４２及び円筒状軸部材４３を介して回転軸４１に固着されている。
【００３０】
羽根回転手段９は、電動モータ４５の出力回転軸の回転による回転軸４１の回転で、羽根手段６の羽根部材４４を回転軸心Ｘを中心としてＥ方向に回転させて、強制空気流７を生じさせるようになっている。
【００３１】
方向決定手段１２は、一縁部３５側では複数の羽根部材４４の外縁の包絡線で形成される仮想円筒面３６との間で狭幅通路３７を形成し、他縁部３８側では当該仮想円筒面３６との間で広幅通路３９を形成して当該仮想円筒面３６を部分的に取り囲んでいる湾曲状面５４を有している横長の通路形成板５１と、外側に円弧面５３を有した通路形成板５１の横方向の各端に固着されている一対の側板５２と、通路形成板５１と協働して強制空気流７の方向を決定するように、一対の側板５２の夫々から一体的に径方向に延設された板部４７に両端で固着された補助板５８と、両側板５２の夫々に固着されていると共に回転軸４１と同心に配されており、しかも、両側壁３１に回転自在に支持された中空軸４８と、通路形成板５１を回転させる通路形成板回転手段６０とを具備している。
【００３２】
羽根手段６と通路形成板５１及び補助板５８とは、夫々互いに同一の回転軸心Ｘを中心として回転されるように配されており、通路形成板５１は、連通路４での所定の回転位置（図１に示す回転位置）で羽根手段６を介する強制空気流７の流路３３に対して分離された分離通路３４を後壁３０と協働して連通路４に形成するようになっている。
【００３３】
通路形成板回転手段６０は、連通路４外において側壁３１に固定されている電動モータ４９を具備しており、電動モータ４９の出力回転軸の回転は、一方の側壁３１を貫通して連通路４外に突出している中空軸４８の突出部５０に歯車機構等を介して伝達されるようになっている。
【００３４】
断面Ｖ字状の補助板５８は、通路形成板５１の回転に連れてＡ及びＢ方向に回転するように通路形成板５１に板部４７及び側板５２を介して連結されている。
【００３５】
通路形成板回転手段６０は、電動モータ４９の作動で例えば図１、図３及び図５に示すように強制空気流７を開口部１３に向かわせる位置と、図４に示すように強制空気流７を開口部２１の一端部６１に向かわせる位置とに選択的に通路形成板５１及び補助板５８をＡ及びＢ方向に回転させるようになっている。
【００３６】
而して、方向決定手段１２は、電動モータ４９の出力回転軸の回転による中空軸４８の回転軸４１の回転とは独立した回転で、通路形成板５１及び補助板５８を回転軸心Ｘを中心としてＡ及びＢ方向に回転させて強制空気流７の流路３３の向きを変えるようになっている。
【００３７】
以上のようにして、強制空気流発生手段８は、羽根部材４４の回転による強制空気流７を通路形成板５１及び補助板５８により決定された流路３３の向きに生じさせるようになっている。
【００３８】
開閉手段１４は、開口部１３を規定している枠手段５の前壁２９に一端７０でＣ及びＤ方向に回転自在に支持されている中空の横長の開閉部材７１と、開閉部材７１の上方端に取り付けられた弾性を有したシール部材７４と、開閉部材７１に当接するように開口部１３を規定している前壁２９の縁部に嵌着されている弾性を有したシール部材７２と、開閉部材７１を回転させる開閉部材回転手段（図示せず）とを具備している。
【００３９】
シール部材７４は、通路形成板５１が図１に示すような回転位置に配されている場合に、開閉部材７１がＣ方向に回転されて開閉部材７１が図３に示すような回転位置に配されると、通路形成板５１の他縁部３８に当接して、通路形成板５１と開閉部材７１との間をシールするようになっている。
【００４０】
シール部材７２は、開閉部材７１がＤ方向に回転されて開閉部材７１が図１に示すような回転位置に配されると、開閉部材７１に当接して開閉部材７１と前壁２９との間をシールするようになっている。
【００４１】
開閉部材回転手段は、電動モータ４５及び４９と同様に、連通路４外において側壁３１に固定されている図示しない電動モータを具備しており、この電動モータの出力回転軸の回転は、開閉部材７１の一端７０に歯車機構等を介して伝達されるようになっている。
【００４２】
開閉部材回転手段は、その電動モータの作動で開閉部材７１を、図１に示すように、開口部１３を閉鎖して開口部１３を介する流路３３及び分離通路３４の枠手段５の外部である貫通孔１７への連通を阻止する位置と、図３に示すように、開口部１３を開放して流路３３を開口部１３を介して貫通孔１７に連通させる一方、開口部１３を介する分離通路３４の貫通孔１７への連通を阻止する位置と、図５に示すように、流路３３及び分離通路３４を貫通孔１７に連通させる位置とに、選択的に回転させるようになっており、こうして、開閉手段１４は、開口部１３の開閉と共に分離通路３４の開閉をも行うようになっている。
【００４３】
建物内２においては、開口部２１が臨む建物内２に開口部２１の一方の端部６１の上方と他方の端部６２の上方とを仕切って窓ガラス９０との間に空間２０を形成する画成部材としての遮光カーテン１９が天井から降ろせるようになっている。
【００４４】
以上の換気装置１において、図１に示す状態で、開閉部材回転手段の図示しない電動モータを作動させて開閉部材７１をＣ方向に回転させて図３に示すように配することにより、流路３３を開口部１３に連通させることができる一方、分離通路３４と開口部１３との連通を遮断することができる。図３に示すような通路形成板５１、補助板５８及び開閉部材７１の回転状態で、電動モータ４５を作動させて羽根部材４４をＥ方向に回転させて強制空気流７を生じさせることにより、建物内２の空気を開口部１３及び貫通孔１７を介して建物外３に強制的に換気できる。次に図１に示す状態で、電動モータ４９を作動させて通路形成板５１及び補助板５８をＡ又はＢ方向に回転させて図４に示すように配し、この状態で、電動モータ４５を作動させて羽根部材４４をＥ方向に回転させて強制空気流７を生じさせ、強制空気流７を開口部２１の一端部６１に向かわせることにより、建物内２の空気を後方側の開口２６、開口部２１の他端部６２、流路３３、開口部２１の一端部６１及び前方側の開口２５を介して循環できる。更に、図１に示す状態で、開閉部材回転手段の図示しない電動モータを作動させて開閉部材７１をＣ方向に回転させて図５に示すように配することにより、流路３３を開口部１３に連通させることができると共に、通路形成板５１によって形成された分離通路３４を開口部１３に連通させることができ、図５に示す通路形成板５１、補助板５８及び開閉部材７１の回転状態で、電動モータ４５を作動させない場合には、開口部２１の他端部６２、分離通路３４、開口部１３及び貫通孔１７を介して建物内２を建物外３に連通させることができる結果、建物内２を自然換気できる一方、電動モータ４５を作動させて羽根部材４４をＥ方向に回転させて強制空気流７を生じさせる場合には、自然換気に加えて、建物内２の空気を開口部２１、開口部１３及び貫通孔１７を介して建物外３に強制的に換気できる。
【００４５】
以上のように開口部１３が建物外３に臨み、開口部２１が建物内２に臨むようにして設置された換気装置１は、連通路４に所望方向に向かう強制空気流７を生じさせる強制空気流発生手段８を具備し、斯かる強制空気流発生手段８が羽根手段６を介する強制空気流７の流路３３に対して分離された分離通路３４を連通路４に形成し得ると共に強制空気流７の方向を決定する方向決定手段１２を具備し、しかも、開閉手段１４が開口部１３の開閉と共に、分離通路３４の開閉をも行うようになっているために、方向決定手段１２により分離通路３４を連通路４に形成し、しかも、分離通路３４を介して開口部１３と開口部２１との連通がなされるように開閉手段１４により開口部１３を開放することにより、羽根手段６の回転、非回転に拘わらずに羽根手段６に邪魔されることなしに分離通路３４を介して建物内２の自然換気を行うことができ、また、分離通路３４を介する開口部１３と開口部２１との連通を阻止するようにして開閉手段１４により開口部１３を開放し、しかも、羽根手段６を回転させると共に方向決定手段１２により強制空気流７の方向を開口部１３に向けることにより、開口部２１から開口部１３に向かう強制空気流７でもって建物内２の強制換気を行うことができ、更に、開閉手段１４により開口部１３を閉鎖して、しかも、羽根手段６を回転させると共に方向決定手段１２により強制空気流７の方向を開口部２１の一方の端部６１に向けることにより、開口部２１の他方の端部６２から一方の端部６１に向かう強制空気流７でもって建物内２の空気の強制循環を行うことができて、特に開口部２１が臨む建物内２に開口部２１の一方の端部６１と他方の端部６２とを仕切るようにして遮光カーテン１９を建物の窓際、例えば窓ガラス９０際に設置すると、窓ガラス９０と遮光カーテン１９との間の空間２０と空間２０以外の建物内２の間で強制空気交換を行うことができ、而して、必要に応じて強制換気、自然換気及び強制空気循環を行い得ると共に、設置部位を縮小化することができる。
【００４６】
以上の換気装置１を図６及び図７に示すように建物内２の天井８３側の建物側壁１６にも設けて換気機構８１を構成してもよい。図６及び図７において、天井８３側の換気装置１は、天井８３側の建物内２に開口２５及び２６を臨ませて設置されており、天井８３側における建物側壁１６には、建物外３及び開口部１３に連通している貫通孔９５が設けられており、貫通孔９５には防塵用及び防鳥用の網体９７が配されている。
【００４７】
建物内２において建物側壁１６の床８２側に設けられている床８２側の換気装置１と、床８２側の換気装置１の上方であって床８２側の換気装置１が設けられる建物側壁１６の天井８３側に設けられている天井８３側の換気装置１との二つの換気装置１を具備した換気機構８１は、両換気装置１間であって建物側壁１６近傍、本例では建物側壁１６に設けられた窓ガラス９０の近傍の空間２０を建物内２の他の空間と区分する区分手段８６を具備しており、区分手段８６によって区分された建物側壁１６の近傍の空間２０の上方及び下方の一端部１０５及び１０６の夫々は、両換気装置１の夫々の開口部２１の一端部６１に臨むようになっている。
【００４８】
区分手段８６は、建物内２において建物側壁１６に沿って配される可撓性の画成部材としての前記の遮光カーテン１９と、遮光カーテン１９による空間２０の形成及び空間２０の消滅を行うように、遮光カーテン１９を移動させる移動手段、本例では遮光カーテン１９の巻き上げ及び繰り出しを行う巻き上げ及び繰り出し装置１０２とを具備しており、巻き上げ及び繰り出し装置１０２により遮光カーテン１９を繰り出すことにより建物内２を建物側壁１６の窓ガラス９０に沿って画成して窓ガラス９０及び遮光カーテン１９間に空間２０を形成し、巻き上げ及び繰り出し装置１０２により遮光カーテン１９を巻き上げることによって空間２０をなくす（消滅させる）ようになっている。
【００４９】
以上の換気機構８１では、両換気装置１の夫々の通路形成板５１、補助板５８及び開閉部材７１を個々に独立に又は連動させて回転させて上述の位置に配して、しかも、それらの回転位置で適宜に羽根部材４４を回転させることにより、建物内２と建物外３と空間２０とを強制換気、自然換気及び循環換気できる。
【００５０】
そして換気機構８１によれば、上述のように両換気装置１を夫々動作させて、例えば、一方の換気装置１で建物内２に給気すると共に他方の換気装置１で建物内２から排気することができる結果、必要に応じて建物内２の換気を効果的に行い得、特に空間２０を強制換気することにより、例えば、夏場等に空間２０の空気が外気温以上になることを防ぐことができて建物内２の冷房に対する負荷を減少できる。
【００５１】
尚、床８２側又は天井８３側の換気装置１に対して、天井８３側又は床８２側の換気装置１を、床８２側又は天井８３側の換気装置１が設けられる建物側壁１６に対向した他の建物側壁に設けてもよい。
【００５２】
【発明の効果】
本発明によれば、必要に応じて強制換気及び自然換気を行い得ると共に、換気装置の設置部位を縮小化することのできる換気装置及びこれを具備した換気機構を提供し得る。
【図面の簡単な説明】
【図１】本発明による換気装置の実施の形態の例の縦断面説明図である。
【図２】図１に示す例における強制空気流発生手段の斜視図である。
【図３】図１に示す例の動作説明図である。
【図４】図１に示す例の動作説明図である。
【図５】図１に示す例の動作説明図である。
【図６】本発明による換気機構の実施の形態の例の説明図である。
【図７】図６に示す例の主に天井側の換気装置の縦断面説明図である。
【符号の説明】
１　換気装置
４　連通路
５　枠手段
６　羽根手段
８　強制空気流発生手段
１３、２１　開口部
１４　開閉手段
【図１】
2004144380.tif 000003
【図２】
2004144380.tif 000004
【図３】
2004144380.tif 000005
【図４】
2004144380.tif 000006
【図５】
2004144380.tif 000007
【図６】
2004144380.tif 000008
【図７】
2004144380.tif 000009